(57)【要約】【課題】利便性を向上させたコンパクトマットを提供する。【解決手段】コンパクトマット１の内部には、マット部２の形状に合わせて模られたかた綿が内設されている。マット部２の長手方向の４箇所には、均等に、幅方向に延びた縫い目３が縫われている。マット部２の一方の端部（図の左側）の長辺側の両サイドには、紐４、５が設けられている。紐４の端面には、ナイロン製やポリエステル製の面ファスナー６ａが設けられている。紐５の端面には、面ファスナー６ｂが設けられている。紐４、５を締結することで、コンパクトマット１を様々な形状に固定できる。【選択図】図１
2007275498.tif 000002
【特許請求の範囲】
【請求項１】
長尺なマットの一方の端部の長辺側の一方又は両サイドに該マットを所望形状に保持するための固定手段を取り付けたことを特徴とするコンパクトマット。
【請求項２】
前記固定手段は、紐からなることを特徴とする請求項１に記載のコンパクトマット。
【請求項３】
前記固定手段は、テープからなることを特徴とする請求項１に記載のコンパクトマット。
【請求項４】
前記両サイドに取り付けられた固定手段の各々、又は、前記一方のサイドに取り付けられた固定手段とマット、を締結するための締結手段が設けられていることを特徴とする請求項１乃至３いずれかに記載のコンパクトマット。
【発明の詳細な説明】
【技術分野】
【０００１】
本発明は、多用途に用いることができる毛布よりも厚手で毛布よりもスリムな形状をした長尺なマット（以下、「コンパクトマット」という）に関し、特に利便性を向上させたコンパクトマットに関する。
【背景技術】
【０００２】
従来、地震や洪水などの災害時には、近所の体育館や公民館が避難所となり、住民が避難をする。その避難所においては、住民に一人一枚ほどの毛布が配られることがある。これらの毛布は、体を覆うようにして寒さを凌ぐ目的にも使われるが、床に敷いて座ったり寝たりして用いることもある。
【０００３】
また、山登りやキャンプなどのアウトドア、居間や縁側などの屋内、海水浴場などでは、座ったり寝たりするときに、敷物を用いることがある。これらの敷物は、用途により様々な形状や材質で作られており、地面や床面の凹凸を和らげる働きをしたり、地面や床面の冷たさや熱さから使用者を保護している。
【０００４】
さらに、例えば、特許文献１には、災害時の避難場所で使用するのに好適な、プラスチック製の簡易マットが示されている。この簡易マットは、ウレタンフォームのマットに匹敵する緩衝能力と断熱作用を持つ素材からなるシートを利用し、十分な厚さを持ち、防水性や防湿性に優れ、かつウレタンフォーム製品よりは安価であって、焼却処理が容易であるという利点がある。
【特許文献１】特開２００３−２１０２８５号公報
【発明の開示】
【発明が解決しようとする課題】
【０００５】
しかしながら、避難所において配られる毛布は、形状を固定できないので、ただ床に敷いたり、折り畳んで用いる程度しか使用方法がない。また、アウトドアや室内、海水浴場などで用いる敷物は、ただ広げて敷くものばかりで、利便性が低かった。さらに、特許文献１の簡易マットも、様々な利点を有するものの、広げて敷くという用途しかなく、利便性が低かった。
【０００６】
本発明は、このような事情に鑑みてなされたもので、利便性を向上させたコンパクトマットを提供することを目的としている。
【課題を解決するための手段】
【０００７】
係る目的を達成すべく、本発明のうち請求項１に記載の発明は、長尺なマットの一方の端部の長辺側の一方又は両サイドに該マットを所望形状に保持するための固定手段を取り付けた構成を採用した。
【０００８】
また、請求項２に記載の発明のように、前記固定手段は、紐からなる構成とすることもできる。
【０００９】
また、請求項３に記載の発明のように、前記固定手段は、テープからなる構成とすることもできる。
【００１０】
また、請求項４に記載の発明のように、前記両サイドに取り付けられた固定手段の各々、又は、前記一方のサイドに取り付けられた固定手段とマット、を締結するための締結手段が設けられていることが好ましい。
【発明の効果】
【００１１】
本発明に係るコンパクトマットは、マットを様々な形状に固定できるため、例えば枕が無くてもいいというように利便性が高い。また、折り畳んだ状態や巻いた状態で固定できるため、持ち運びや収納にも便利である。さらに、締結手段を用いて、マットを簡単に固定することができるので、利便性が高い。    
【発明を実施するための最良の形態】
【００１２】
以下、本発明の実施の形態を図面に基いて詳細に説明する。
図１は、本発明に係るコンパクトマットの実施の形態を示す図である。図１には、本発明に係るコンパクトマット１が広げられた状態で床の上に配置されている。
【００１３】
コンパクトマット１には、長尺のマット部２が設けられている。マット部２の大きさは、例えば、毛布と同じくらいで、毛布よりもスリムな形状とすることができる。マット部２の内部には、マット部２の形状に合わせて模られたかた綿が内設されている。なお、内部に入れるものは、かた綿に限らず、ウレタンやスポンジなど種々のものとすることができる。
【００１４】
マット部２の長手方向の３箇所には、均等に、幅方向に延びた縫い目３が縫われている。この縫い目３があることで、内部のかた綿等が型崩れしないというメリットがある。なお、この例では、マット部２の３箇所に縫い目３を設けたが、本発明はこれに限定されるものではなく、４箇所に縫い目を設けることやクロス状に縫い目を設けることなどができる。
【００１５】
マット部２の一方の端部（図の左側）の長辺側の両サイドには、マット部２を固定する固定手段として、紐４、５が設けられている。この紐４、５は、ある程度の強度を持った素材であればよく、例えば、布製やナイロン製に限らず、テープのようなものでもいい。図１では、紐４、５が伸ばされた状態で示されているが、このようにマット部２を広げて使用する際には、紐４、５をマット部２の下に収納して使用することができる。
【００１６】
次に、本発明に係るコンパクトマットの締結手段について説明する。
図２は、本発明に係るコンパクトマットの締結手段を示す図である。図２には、コンパクトマット１に設けられた紐４、５の端部の拡大図が示されている。紐４の端面には、締結手段として、ナイロン製やポリエステル製の面ファスナー６ａが設けられている。紐５の端面には、面ファスナー６ｂが設けられている。面ファスナー６ａと面ファスナー６ｂとは、異なる表面形状をしており（フックとループという）、お互いくっつき合うような形状となっている。このようにして、紐４、５を締結することで、コンパクトマット１を様々な形状に固定できる。
【００１７】
なお、この例では、２本の紐が設けられている例を示したが、紐を１本とすることもできる。紐が１本の場合には、紐の先端とマットとを結ぶ締結手段が、紐とマットの双方に取り付けられることになる。つまり、紐が１本の場合には、マット部２の一部に面ファスナーのフックを設けておき、紐の先端に面ファスナーのループを設け、両者をくっつけるような方法が挙げられる。
【００１８】
図２では、締結手段として、面ファスナーの例を示したが、本発明のコンパクトマットにおいては、種々の締結手段を用いることができ、例えば他に、金具で両方の紐の先端を引っ掛けるものなどが適用できる。また、必ずしも締結手段を設ける必要はなく、紐同士を縛ってマットの形状を固定させることもできる。
【実施例１】
【００１９】
次に、本発明のコンパクトマットの第１の使用方法について説明する。
図３は、本発明のコンパクトマットの第１の使用方法を示す図である。図３には、コンパクトマット１が端部を丸めた状態で配置されている。
【００２０】
丸めた部分の中央付近からは、紐４が突出しており、その先端は、マット部２の下方に延びている。マット部２の丸めた部分の図の奥側には、紐５（図示せず）が突出しており、マット部２の下方に延びている。マット部２の下方において、紐４と紐５は、固定手段により固定されている。このように、紐４、５でマット部２の先端を丸めた状態で固定することで、枕や肘掛を作ることができ、利便性が向上する。  
【実施例２】
【００２１】
次に、本発明のコンパクトマットの第２の使用方法について説明する。
図４は、本発明のコンパクトマットの第２の使用方法を示す図である。図４には、コンパクトマット１が４つに折り畳まれた状態で配置されている。
【００２２】
マット部２には、３本の縫い目３（図１参照）が設けられており、この縫い目３の部分で、容易に折り畳むことができる。なお、マット部２は、縫い目３の部分で折り畳むこともできるが、縫い目３の部分はなくとも様々な形状に折り畳むことができる。折り畳んだ後は、折り畳んだ内の一番下の部分から突出する紐４、５を、マット部２の上方の部分に掛け合わせるようにして結び目７で結んで固定されている。このように、固定手段を用いず、紐同士を結ぶことでマット部２を固定することもできる。上記のとおり、マット部２を４つ折にして固定することで、持ち運びにも便利であるし、積み重ねて収納する場合にも便利である。
【実施例３】
【００２３】
次に、本発明のコンパクトマットの第３の使用方法について説明する。
図５は、本発明のコンパクトマットの第３の使用方法を示す図である。図５には、コンパクトマット１が丸められた状態で配置されている。
【００２４】
マット部２は、紐４、５が取り付けられている方の端部が中央になるように丸められている。略中央部分からは、紐４が図の下方から、紐５が図の上方から突出しており、マット部２の外側の端部を押さえ込むようにして固定手段８で固定されている。このようにマット部２を丸めて固定することで、持ち運びにも便利であるし、何本か立てて収納する場合にも便利である。
【００２５】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００２６】
本発明に係るコンパクトマットは、避難所やアウトドア、屋内、海水浴場などで用いる利便性を向上させたコンパクトマットに適用できる。
【図面の簡単な説明】
【００２７】
【図１】本発明に係るコンパクトマットの実施の形態を示す図である。
【図２】本発明に係るコンパクトマットの締結手段を示す図である。
【図３】本発明のコンパクトマットの第１の使用方法を示す図である。
【図４】本発明のコンパクトマットの第２の使用方法を示す図である。
【図５】本発明のコンパクトマットの第３の使用方法を示す図である。
【符号の説明】
【００２８】
１・・・・・・・コンパクトマット
２・・・・・・・マット部
３・・・・・・・縫い目
４、５・・・・・紐
６ａ、６ｂ・・・面ファスナー
７・・・・・・・結び目
８・・・・・・・固定手段
【図１】
2007275498.tif 000003
【図２】
2007275498.tif 000004
【図３】
2007275498.tif 000005
【図４】
2007275498.tif 000006
【図５】
2007275498.tif 000007